(57)【要約】  【課題】ショッピング用手提袋をナイロン、ポリエチレン等の合成樹脂製  とせず、収納商品の形状、大きさに対応できる機能を維持しつつ、感性価値を高めることによって、安易に廃棄することなく、他の用途にも手軽に利用できるという課題を解決することとした。【解決手段】  熱可塑性合成樹脂を成分とする不織布の長尺平面素材を所定の長さに寸断しこの寸断した表裏シートの側縁を結合し、更に上側縁を商品収納用となる上開口のコ字型に切抜くと共に、該上開口の左右に表裏シートを連ねる手提ループを形成して柔軟性で、而も保形性を有する袋本体を構成させることにより感性価値を高め、安易に廃棄することなく、他の用途にも手軽に利用でショッピング用手提袋。【選択図】  図１
2008296954.tif 000002
【特許請求の範囲】
【請求項１】
熱可塑性合成樹脂を成分とする不織布の長尺平面素材を所定の長さに寸断し、この寸断素材の略中央線にて折重ねると共に、この折重縁を除く表裏シートの先端縁及び上下側縁の三縁を結合し、更に上側縁を商品収納用となる上開口のコ字型に切抜くと共に、該上開口の左右に表裏シートを連ねる手提ループを形成して柔軟性で、而も保形性を有する袋本体を構成したことを特徴とするショッピング用手提袋。
【請求項２】
熱可塑性合成樹脂を成分とする不織布の長尺平面素材を所定の長さに寸断し、この寸断素材を２枚重畳し、この表裏シートの左右先端縁及び上下側縁の四縁を結合し、更に上側縁を商品収納用となる上開口のコ字型に切抜くと共に、該上開口の左右に表裏シートを連ねる手提ループを形成して柔軟性で、而も保形性を有する袋本体を構成したことを特徴とするショッピング用手提袋。
【請求項３】
熱可塑性合成樹脂を成分とする不織布の長尺平面素材は、表面をラミネート処理されたことを特徴とする請求項１〜２いずれか１記載のショッピング用手提袋。
【請求項４】
コ字型に切抜かれた該コ字型切抜部の底部には、先広状のホック及びスリットを夫々表裏シートに形成し、上開口より商品を収納後、一方ホックを他方スリットに挿入係合させたことを特徴とする請求項１〜２いずれか１記載のショッピング用手提袋。
【請求項５】
表裏シートの先端縁及び上下側縁の三縁の結合を熱溶着したことを特徴とする請求項１記載のショッピング用手提袋。
【請求項６】
表裏シートの重畳縁及び上下側縁の四縁の結合を熱溶着したことを特徴とする請求項２記載のショッピング用手提袋。
【請求項７】
不織布を構成する繊維を熱可塑性合成樹脂にて成し、該不織布の所定の長さに寸断を熱線カットすることを特徴とする請求項５〜６いずれか１記載のショッピング用手提袋。
【請求項８】
表裏シートの先端縁及び上下側縁の三縁の結合を縫合したことを特徴とする請求項１記載のショッピング用手提袋。
【請求項９】
表裏シートの重畳縁及び上下側縁の四縁の結合を縫合したことを特徴とする請求項２記載のショッピング用手提袋。
【請求項１０】
表裏シートの一方に先広状のホックを、他方にスリットを夫々形成したことを特徴とする請求項１〜２いずれか１記載のショッピング用手提袋。
【請求項１１】
表裏シートの左右縁に互いに内向きのV字状に折曲げたタックを形成したことを特徴とする請求項１〜２いずれか１記載のショッピング用手提袋。
【請求項１２】
表裏シートを連ねる手提ループを表裏シートとは別部材として、該両先端を表裏シートに取付けたことを特徴とする請求項１〜２いずれか１記載のショッピング用手提袋。
【発明の詳細な説明】
【技術分野】
【０００１】
本発明はスーパー、百貨店等にて購入した商品を収納するショッピング用手提袋に関する。
【背景技術】
【０００２】
一般的に知られているショッピング用手提袋は、ナイロン、ポリエチレン等の薄い合成樹脂製シートが主流である。
これらは、収納商品の形状、大きさに左右されることなく自在に収納できることと、安価で而も手軽であることから普及している。
ところが近時、このナイロン、ポリエチレン等の合成樹脂製手提袋(以下ポリ袋という)の存在が見直されている。
即ち、このポリ袋は商品購入時、無料提供されることと、更に使用後は無造作に廃棄されることを予測し、機能のみを追求した低コストのものとなっており、これが却って悪結果に繋がっている。
而して、これらはごみ処理問題、省資源の観点から大きな社会問題となっている。
現に、スーパー、百貨店が自社のブランド、或いはイメージをアッピールした紙、合成樹脂製の同種の袋は、破棄されることなく、他の用途にも利用されていることは周知の事実といえる。
これらに関連する技術文献としては下記のものが存在する。
【０００３】
【特許文献１】特開２００１−１４２３号公報
【特許文献２】特開２００４−３５９２４７号公報
【特許文献３】特開２００７−５５６１７号公報
【発明の開示】
【発明が解決しようとする課題】
【０００４】
本発明は、ショッピング用手提袋をナイロン、ポリエチレン等の合成樹脂製
とせず、収納商品の形状、大きさに対応できる機能を維持しつつ、感性価値を高めることによって、安易に廃棄することなく、他の用途にも手軽に利用できるショッピング用手提袋を提供することである。
【課題を解決するための手段】
【０００５】
本発明は上記課題を解決するため、熱可塑性合成樹脂を成分とする不織布の長尺平面素材を所定の長さに寸断し、この寸断した表裏シートをもって柔軟性で、而も保形性を有する袋本体を構成させることにより感性価値を高め、安易に廃棄することなく、他の用途にも手軽に利用でショッピング用手提袋。
本発明は、熱可塑性合成樹脂を成分とする不織布の長尺平面素材を所定の長さに寸断し、この寸断素材の略中央線にて折重ねると共に、この折重縁を除く表裏シートの先端縁及び上下側縁の三縁を結合し、更に上側縁を商品収納用となる上開口のコ字型に切抜くと共に、該上開口の左右に表裏シートを連ねる手提ループを形成して柔軟性で、而も保形性を有する袋本体を構成したことを特徴とする。
また本発明のショッピング用手提袋は、熱可塑性合成樹脂を成分とする不織布の長尺平面素材を所定の長さに寸断し、この寸断素材を２枚重畳し、この表裏シートの左右先端縁及び上下側縁の四縁を結合し、更に上側縁を商品収納用となる上開口のコ字型に切抜くと共に、該上開口の左右に表裏シートを連ねる手提ループを形成して柔軟性で、而も保形性を有する袋本体を構成したことを特徴とする。
また本発明のショッピング用手提袋は、熱可塑性合成樹脂を成分とする不織布の長尺平面素材は、表面をラミネート処理されたことを特徴とする。
また本発明のショッピング用手提袋は、コ字型に切抜かれた該コ字型切抜部の底部には、先広状のホック及びスリットを夫々表裏シートに形成し、上開口より商品を収納後、一方ホックを他方スリットに挿入係合させたことを特徴とする。
また本発明のショッピング用手提袋は、表裏シートの先端縁及び上下側縁の三縁の結合を熱溶着したことを特徴とする。
また本発明のショッピング用手提袋は、表裏シートの重畳縁及び上下側縁の四縁の結合を熱溶着したことを特徴とする。
また本発明のショッピング用手提袋は、不織布を構成する繊維を熱可塑性合成樹脂にて成し、該不織布の所定の長さに寸断を熱線カットすることを特徴とする。
また本発明のショッピング用手提袋は、表裏シートの先端縁及び上下側縁の三縁の結合を縫合したことを特徴とする。
また本発明のショッピング用手提袋は、表裏シートの重畳縁及び上下側縁の四縁の結合を縫合したことを特徴とする。
更に、本発明のショッピング用手提袋は、表裏シートの一方に先広状のホ
ックを、他方にスリットを夫々形成したことを特徴とする。
更に、本発明のショッピング用手提袋は、表裏シートの左右縁に互いに内向きのV字状に折曲げたタックを形成したことを特徴とする。
【発明の効果】
【０００６】
本発明によれば、熱可塑性合成樹脂を成分とする不織布の長尺平面素材を所定の長さに寸断し、この寸断素材の略中央線にて折重ねると共に、この折重縁を除く表裏シートの先端縁及び上下側縁の三縁を結合し、更に上側縁を商品収納用となる上開口のコ字型に切抜くと共に、該上開口の左右に表裏シートを連ねる手提ループを形成して柔軟性で、而も保形性を有する袋本体を構成したさせたことを特徴とするショッピング用手提袋が提供される。即ち、本発明の最大の特徴は、熱可塑性合成樹脂を成分とする不織布の長尺平面素材を所定の長さに寸断し、この寸断した表裏シートをもって袋本体を構成しているので、適度な柔軟性によって収納商品の形状、大きさに対応できる機能を維持し、且つ、併せて保形性を有するから、持運び時の型崩れが極端に目立たず感性価値を高めることによって、安易に廃棄することなく、他の用途にも手軽に利用されることが期待でき、ごみ処理問題、省資源の観点からも大きく貢献できる。
【０００７】
また本発明によれば、熱可塑性合成樹脂を成分とする不織布の長尺平面素材を所定の長さに寸断し、この寸断素材を２枚重畳し、この表裏シートの左右先端縁及び上下側縁の四縁を結合すれば、巾狭い長尺平面素材が使用でき、広い作業場を必要としなくなる。
【０００８】
また本発明によれば、ショッピング用手提袋を不織布にて形成しているから、ナイロン、ポリエチレン等に比し、防水性の懸念を素材表面のラミネート処理によって払拭できる。
【０００９】
また本発明によれば、商品を収納後、一方ホックを他方スリットに挿入係合させることによって、その収納口が広がる様なことがなく、収納商品が露見せず、盗難防止にも繋がる。
【００１０】
また本発明によれば、表裏シートの所望の縁の結合を熱溶着したから、その部分の凝固によって他の部分より硬い所謂、芯或いは骨状機能を発揮し、
ショッピング用手提袋の保形性が向上する。
【００１１】
また本発明によれば、不織布を構成する繊維を熱可塑性合成樹脂にて成し、当該寸断を熱線カットによって行え、次工程での表裏シート１の熱溶着とも一連の作業工程にて行えることとなる。
【００１２】
また本発明によれば、表裏シートの所望の縁の結合を縫合したから、その部分が他の部分より硬い所謂、芯或いは骨状機能を発揮し、ショッピング用手提袋の保形性が向上する。
【００１３】
更に本発明によれば、表裏シートの左右縁に互いに内向きのV字状に折曲げたタックを形成したことにより、そのタック部分の広がりにて収納商品の大きさに対応できる。
【００１４】
更に本発明によれば、手提ループを表裏シートとは別部材として、該両先端を表裏シートに取付けることによって、袋本体を構成する表裏シートの寸断形成が単純な形状となる。
【発明を実施するための最良の形態】
【００１５】
以下本発明を実施形態の図面に基づいて説明する。
図１はショッピング用手提袋の斜視図であって、商品を収納した状態の袋本体Bを示しており、図２は収納していない状態を示している。
而して、この袋本体Bの具体的形成は次の通りとなる。
即ち、図７に示す如く、熱可塑性合成樹脂を成分とする不織布の長尺平面素材Hを所定の長さTに寸断し、この寸断素材Hａを略中央線Ｘにて左右より矢印方向に折重ねると共に、この折重縁１ａを除く表裏シート１の先端縁１ｂ及び上下側縁１ｃ、１ｄの三縁１ｂ、１ｃ、１ｄを結合する。この結合とは、熱溶着、縫合等、その素材Ｈの材質によって選択すればよい。
【００１６】
ここで言う熱可塑性合成樹脂を成分とする不織布とは、不織布を構成する繊維そのものを熱可塑性合成樹脂にて構成するもの、更にはファイバー繊維と熱可塑性合成樹脂とを混合して長尺平面素材Hを成すものを含むものである。
特に、不織布を構成する繊維そのものを熱可塑性合成樹脂にて構成すれば、当該寸断を熱線カットによって行え、次工程での表裏シート１の熱溶着とも
一連の作業工程にて行えることとなる。
【００１７】
図８は不織布を構成する繊維そのものを熱可塑性合成樹脂によらない例えば、グラス繊維、植物繊維の場合、繊維そのものは熱線カットできないので、
表裏シート１が熱線Ｐにて扁平になった部分１ｚを次工程でカッターＣにて切断されることとなる。
また、不織布にて形成していることから、ナイロン、ポリエチレン等に比し、防水性の懸念を払拭するため素材表面のラミネート処理することも考えられる。
更に図２に示す如く、上側縁１ｃに上開口２で、而も底部５ａに先広状の
ホック３及びスリット４を夫々表裏シート１に形成する様にコ字型に切抜く。このコ字型切抜部５の左右、即ち上開口２の左右に表裏シート１を連ねる手提ループ６を形成する。
【００１８】
而して、上記により構成された袋本体Bは柔軟性で、而も保形性を有する。商品収納は、図３に示す如く、折重縁１ａを除く表裏シート１の先端縁１ｂ間を矢印方向に広げ、上開口２より商品を挿入後、図４、図５、図６の手順にて一方ホック３を他方スリット４に挿入係合させ、図１とする。
更に、図９の如く表裏シート１を単に折り重ね、左右先端縁１ｂ及び上下側縁１ｃ、１ｄの四縁１ｂ、１ｃ、１ｄを結合し、巾狭い長尺平面素材が使用でき、広い作業場を必要としなくなる。
また図３は袋本体Bの商品収納を広げる様に、表裏シート１の左右縁である折重縁１ａ及び先端縁１ｂに互いに内向きのV字状に折曲げたタック７を形成しており、鎖線１xにて示す如く、広がりの許容内にて収納商品の大きさに対応できる。
【００１９】
図９は手提ループ6を表裏シート1とは別部材である提紐８として、該両先端8ａを表裏シート1に取付けており、袋本体Ｂを構成する表裏シート１の寸断形成が単純な形状となることなる。
【００２０】
（製造順序説明）
次に本発明ショッピング用手提袋の製造順序を説明する。
図７において、熱可塑性合成樹脂を成分とする不織布の長尺平面素材Hを矢印方向に示す如く連続して送り出し、カッターにて所定の長さTに寸断する。
次工程で、この寸断素材Hａを略中央線Ｘにて矢印方向に折重ね、その折重縁１ａを除く表裏シート１の先端縁１ｂ及び上下側縁１ｃ、１ｄの三縁１ｂ、１ｃ、１ｄを熱溶着、縫合等にて結合する。
勿論、他の実施例である図１０の如く表裏シート１を単に折り重ね、左右先端縁１ｂ及び上下側縁１ｃ、１ｄの四縁１ｂ、１ｃ、１ｄを結合する場合もある。
【００２１】
続いて、上側縁１ｃをコ字型に切抜き、そのコ字型切抜部５の左右、即ち上開口２の左右に表裏シート１を連ねる手提ループ６を形成すると共に、更に底部５ａには先広状のホック３及びスリット４を夫々表裏シート１に形成する。
而して、上記各工程を経て柔軟性で、而も保形性の袋本体Bを得ることとなる。
【図面の簡単な説明】
【００２２】
【図１】ショッピング用手提袋の使用状態を示す斜視図
【図２】同上の製造直後を示す斜視図
【図３】同上の拡大断面図
【図４】ホックとスリットとの係合前拡大断面図
【図５】同上の係合直前の拡大断面図
【図６】同上の係合後の拡大断面図
【図７】ショッピング用手提袋の製造工程図
【図８】同上の拡大断面図
【図９】同上の異なる製造直後を示す斜視図
【図１０】同上の拡大断面図
【符号の説明】
【００２３】
Ｈ    長尺平面素材
Hａ  寸断素材
Ｂ    袋本体
１    表裏シート
１ａ  折重縁
１ｂ  先端縁
１ｃ  上側縁
１ｄ  下側縁
２    上開口
３    ホック
４    スリット
５    コ字型切抜部
６    手提ループ
７    タック
８    提紐
【図１】
2008296954.tif 000003
【図２】
2008296954.tif 000004
【図３】
2008296954.tif 000005
【図４】
2008296954.tif 000006
【図５】
2008296954.tif 000007
【図６】
2008296954.tif 000008
【図７】
2008296954.tif 000009
【図８】
2008296954.tif 000010
【図９】
2008296954.tif 000011
【図１０】
2008296954.tif 000012